(57)【要約】    【課題】  それぞれが電子シャッターを内蔵した複数台のカメラのシャッター制御を同時に行う。    【解決手段】  作動子１２とシャッター半押し接点１３とシャッター全押し接点１４とを有するレリーズスイッチ４と、第１のカメラ１の電子シャッターに接続される第１半押しフォトカプラー１６及び第１全押しフォトカプラー１７と、第２のカメラ２の電子シャッターに接続される第２半押しフォトカプラー１８及び第２全押しフォトカプラー１９とを備え、第１半押しフォトカプラー１６及び第２半押しフォトカプラー１８は、シャッター半押し接点１３導通時に電子シャッターにシャッター半押しレリーズ信号を出力し、第１全押しフォトカプラー１７及び第２全押しフォトカプラー１９は、シャッター全押し接点１４導通時に前記電子シャッターにシャッター全押しレリーズ信号を出力する。【選択図】    図１  
2005257837.tif 000002
【特許請求の範囲】
【請求項１】
複数台のカメラのシャッター制御を同時に行うシャッターレリーズ装置において、レリーズスイッチと、前記各カメラの電子シャッターにそれぞれ接続されるフォトカプラーとを備え、該フォトカプラーは、前記レリーズスイッチの導通時に前記電子シャッターにシャッターレリーズ信号を出力することを特徴とするシャッターレリーズ装置。
【請求項２】
前記シャッターレリーズ装置は、前記レリーズスイッチの導通時を表示する表示部を備えていることを特徴とする請求項１に記載のシャッターレリーズ装置。
【請求項３】
複数台のカメラのシャッター制御を同時に行うシャッターレリーズ装置において、シャッター半押し接点とシャッター全押し接点とを有するレリーズスイッチと、前記各カメラの電子シャッターにそれぞれ接続されるシャッター半押し用のフォトカプラー及びシャッター全押し用のフォトカプラーとを備え、前記シャッター半押し用のフォトカプラーは、前記シャッター半押し接点導通時に前記電子シャッターに半押しレリーズ信号を出力し、前記シャッター全押し用のフォトカプラーは、前記全押し接点導通時に前記電子シャッターに全押しレリーズ信号を出力することを特徴とするシャッターレリーズ装置。
【請求項４】
前記シャッターレリーズ装置は、前記シャッター半押し接点導通時を表示するシャッター半押し表示部と、前記シャッター全押し接点導通時を表示するシャッター全押し表示部とを備えていることを特徴とする請求項３に記載のシャッターレリーズ装置。
【請求項５】
前記シャッターレリーズ装置は、電源を搭載していることを特徴とする請求項１乃至４のいずれかに記載のシャッターレリーズ装置。
【発明の詳細な説明】
【技術分野】
【０００１】
本発明は、それぞれが電子シャッターを内蔵した複数台のカメラのシャッター制御を同時に行うシャッターレリーズ装置に関する。
【背景技術】
【０００２】
複数台のカメラのシャッター制御を同時に行うシャッターレリーズ装置として、第１のカメラと第２のカメラとを電線ケーブルで接続し、前記第１のカメラには、撮影手段と、操作手段と、第２のカメラにレリーズを指示するレリーズ信号を送信する送信手段と、前記操作手段の所定の操作に応じて前記送信手段によりレリーズ信号を第２のカメラに送信する制御手段とを備え、前記第２のカメラには、撮影手段と、第１のカメラからのレリーズ信号を受信する受信手段とを備え、前記第１のカメラからのレリーズ信号で前記第２のカメラが第１のカメラと同時に撮影するものがある（例えば、特許文献１参照。）。
【特許文献１】特開２００１−１０９０３７号公報  第１〜１１頁  図１〜１１
【発明の開示】
【発明が解決しようとする課題】
【０００３】
ところが、上述のように、それぞれが電子シャッターを内蔵した複数台のカメラを電線ケーブルで接続した場合には、各カメラに搭載されて電子シャッター制御回路同士の電気信号が干渉しあって、誤作動が生ずる問題がある。
【０００４】
そこで本発明は、それぞれが電子シャッターを内蔵した複数台のカメラ間に電気的干渉が発生せず、シャッター制御を同時に行うことができるシャッターレリーズ装置を提供することを目的としている。
【課題を解決するための手段】
【０００５】
上記した目的を達成するため、本発明のシャッターレリーズ装置は、複数台のカメラのシャッター制御を同時に行うシャッターレリーズ装置において、各カメラが、シャッタースピード、絞り、フォーカス等をマニュアル操作する場合には、レリーズスイッチと、前記各カメラの電子シャッターにそれぞれ接続されるフォトカプラーとを備え、該フォトカプラーは、前記レリーズスイッチの導通時に前記電子シャッターにシャッターレリーズ信号を出力することを特徴としている。また、前記レリーズスイッチの導通時を表示する表示部を備えていることが好ましい。さらに、各カメラの電子シャッターが、半押し状態でシャッタースピード、絞り、フォーカス等を自動で行い、全押し状態で撮影する場合には、シャッター半押し接点とシャッター全押し接点とを有するレリーズスイッチと、前記各カメラの電子シャッターにそれぞれ接続されるシャッター半押し用のフォトカプラー及びシャッター全押し用のフォトカプラーとを備え、前記シャッター半押し用のフォトカプラーは、前記シャッター半押し接点導通時に前記電子シャッターに半押しレリーズ信号を出力し、前記シャッター全押し用のフォトカプラーは、前記シャッター全押し接点導通時に前記電子シャッターに全押しレリーズ信号を出力することを特徴としている。この場合、前記シャッターレリーズ装置は、前記シャッター半押し接点導通時を表示するシャッター半押し表示部と、前記シャッター全押し接点導通時を表示するシャッター全押し表示部とを備えていることが好ましい。また、前記シャッターレリーズ装置は、電源を搭載していることが好ましい。
【発明の効果】
【０００６】
以上説明したように、本発明は、各カメラの電子シャッター制御回路がフォトカプラーによって電気的に絶縁状態になっているから、各カメラの電子シャッター制御回路間に電気的干渉が発生せず、各カメラのシャッター制御を同時に行うことができる。また、半押し表示部及び全押し表示部により、各カメラのシャッター制御状態を視認することができる。さらに、電源を搭載することにより、屋内・屋外を問わず使用することができる。
【発明を実施するための最良の形態】
【０００７】
以下、本発明を２台の電子シャッター付カメラを作動するシャッターレリーズ装置に適用した一実施形態例を、図面に基づいて、さらに詳細に説明する。第１のカメラ１と第２のカメラ２とは、半押し状態でシャッタースピード、絞り、フォーカス等を自動で行い、全押し状態でシャッターが切れて撮影作動をする電子シャッターをそれぞれ備えている。前記第１のカメラ１の電子シャッターと前記第２のカメラ２の電子シャッターとを制御するシャッターレリーズ装置３は、レリーズスイッチ４を内蔵したスイッチボックス５と、シャッター制御回路６を内蔵した回路ボックス７とで構成されている。
【０００８】
前記レリーズスイッチ４と前記シャッター制御回路６とは、スイッチケーブル８にて接続され、前記シャッター制御回路６と前記第１のカメラ１の電子シャッターとは第１シャッターケーブル９にて接続され、前記シャッター制御回路６と前記第２のカメラ２の電子シャッターとは第２シャッターケーブル１０にて接続されている。
【０００９】
前記レリーズスイッチ４は、押しボタン１１にて押動される作動子１２と、押動された作動子１２と接触するシャッター半押し接点１３及びシャッター全押し接点１４とを有している。
【００１０】
前記回路ボックス７内には、電源となる電池１５と、第１のカメラ１に半押し信号を出力する第１半押しフォトカプラー１６と、第１のカメラ１に全押し信号を出力する第１全押しフォトカプラー１７と、第２のカメラ２に半押し信号を出力する第２半押しフォトカプラー１８と、第２のカメラ２に全押し信号を出力する第２全押しフォトカプラー１９と、前記レリーズスイッチ４の作動子１２とシャッター半押し接点１３との導通時に例えば緑色に点灯する発光ダイオードからなるシャッター半押し表示部２０と、前記作動子１２とシャッター全押し接点１４との導通時に例えば赤色に点灯する発光ダイオードからなるシャッター全押し表示部２１とが備えられている。
【００１１】
また、前記回路ボックス７には、一側に前記スイッチケーブル８が接続される３つの端子２２，２３，２４が設けられ、端子２２には、前記レリーズスイッチ４の作動子１２への配線２５が、端子２３には、前記レリーズスイッチ４の半押し接点１３への配線２６が、端子２４には、前記レリーズスイッチ４の全押し接点１４への配線２７がそれぞれ接続される。
【００１２】
さらに、前記回路ボックス７の他側には、前記第１シャッターケーブル９が接続される３つの端子２８，２９，３０と、前記第２シャッターケーブル１０が接続される３つの端子３１，３２，３３とが設けられ、端子２８には、前記第１のカメラ１の電子シャッターのグランドへの配線が、端子２９には、第１のカメラ１の電子シャッターの半押し接点への配線が、端子３０には、第１のカメラ１の電子シャッターの全押し接点への配線がそれぞれ接続される。端子３１には、前記第２のカメラ２の電子シャッターのグランドへの配線が、端子３２には、前記第２のカメラ２の電子シャッターの半押し接点への配線が、端子３３には、前記第２のカメラ２の電子シャッターの全押し接点への配線がそれぞれ接続される。
【００１３】
前記各フォトカプラー１６，１７，１８，１９は、同一の構成で、投光部となる発光ダイオード１６ａ，１７ａ，１８ａ，１９ａと、受光部となるフォトトランジスタ１６ｂ，１７ｂ，１８ｂ，１９ｂとがそれぞれ対向している。
【００１４】
前記シャッター制御回路６は、電池１５の＋極から前記端子２２への配線３４と、電池１５の−極から各フォトカプラー１６，１７，１８，１９の発光ダイオード１６ａ，１７ａ，１８ａ，１９ａの各カソードに並列に接続される配線３５と、前記発光ダイオード１６ａ，１８ａのアノードから前記端子２３に接続される配線３６と、前記発光ダイオード１７ａ，１９ａのアノードから前記端子２４に接続される配線３７と、前記第１半押しフォトカプラー１６のフォトトランジスタ１６ｂのエミッタから前記端子２８に接続される配線３８と、前記第１半押しフォトカプラー１６のフォトトランジスタ１６ｂのコレクタから前記端子２９に接続される配線３９と、前記第１全押しフォトカプラー１７のフォトトランジスタ１７ｂのエミッタから前記配線３８に接続される配線４０と、前記第１全押しフォトカプラー１７のフォトトランジスタ１７ｂのコレクタから前記端子３０に接続される配線４１と、前記第２半押しフォトカプラー１８のフォトトランジスタ１８ｂのエミッタから前記端子３１に接続される配線４２と、前記第２半押しフォトカプラー１８のフォトトランジスタ１８ｂのコレクタから前記端子３２に接続される配線４３と、前記第２全押しフォトカプラー１９のフォトトランジスタ１９ｂのエミッタから前記配線４２に接続される配線４４と、前記第２全押しフォトカプラー１９のフォトトランジスタ１９ｂのコレクタから前記端子３３に接続される配線４５とを有している。また、前記配線３５と前記配線３６との間に前記半押し表示部２０が接続され、前記配線３５と前記配線３７との間に前記全押し表示部２１が接続されている。
【００１５】
このように構成されたシャッターレリーズ装置３は、押しボタン１１を半押して作動子１２とシャッター半押し接点１３とを導通させると、前記シャッター半押し表示部２０が点灯するとともに、前記第１半押しフォトカプラー１６の発光ダイオード１６ａと前記第２半押しフォトカプラー１８の発光ダイオード１８ａとが点灯し、この点灯により前記第１半押しフォトカプラー１６のフォトトランジスタ１６ｂと前記第２半押しフォトカプラー１８のフォトトランジスタ１８ｂにそれぞれ光電流が発生し、第１のカメラ１及び第２のカメラ２の電子シャッターにそれぞれシャッター半押しレリーズ信号が出力される。このシャッター半押しレリーズ信号により、各カメラ１，２の電子シャッター制御回路が作動して、電子シャッターが半押し状態となって、オートフォーカス等の所定のシャッター半押し作動をする。
【００１６】
続いて、押しボタン１１を全押しして作動子１２とシャッター全押し接点１４とを導通させると、前記シャッター全押し表示部２１がが点灯するとともに、前記第１全押しフォトカプラー１７の発光ダイオード１７ａと前記第２全押しフォトカプラー１９の発光ダイオード１９ａとが点灯し、この点灯により前記第１全押しフォトカプラー１７のフォトトランジスタ１７ｂと前記第２全押しフォトカプラー１９のフォトトランジスタ１９ｂにそれぞれ光電流が発生し、第１のカメラ１及び第２のカメラ２の電子シャッターにそれぞれシャッター全押しレリーズ信号が出力される。このシャッター全押しレリーズ信号により、各カメラ１，２の電子シャッター制御回路が作動して、電子シャッターが全押し状態になってシャッターが切られて撮影が行われる。
【００１７】
上記シャッター半押しレリーズ信号及びシャッター全押しレリーズ信号の出力時に、各カメラ１，２の電子シャッター制御回路は、各フォトカプラー１６，１７，１８，１９により電気的に絶縁状態にあるので、各カメラ１，２の電子シャッター制御回路同士が干渉せず、各カメラ１，２の電子シャッターを同時に制御することができる。また、前記半押し表示部２０及び前記全押し表示部２１によりシャッター制御状態を視認することができ、さらに、電池１５を搭載しているから、屋内及び屋外の場所を選ばずに使用することができる。
【００１８】
なお、上記形態例では、第１，２のカメラを特に限定せずに説明したが、例えば、第１のカメラ１を銀塩カメラ、第２のカメラをデジタルカメラにして、両者を並べて同一画像を撮影し、デジタルカメラの画像をビューアーで確認することにより、銀塩カメラのフィルムを現像・プリントすることなく、撮影ミス等による再撮影の防止や、銀塩カメラのフィルムの撮影画像の選択ができる。また、上記形態例では、２台のカメラで説明したが、カメラの数はこれに限定されるものではない。さらに、各カメラが、シャッタースピード、絞り、フォーカス等をマニュアル操作する場合には、レリーズスイッチと、前記各カメラの電子シャッターにそれぞれ接続されるフォトカプラーとを備えたレリーズ装置とし、レリーズスイッチの導通時にフォトカプラーからシャッターレリーズ信号を出力させればよい。
【図面の簡単な説明】
【００１９】
【図１】本形態例のシャッターレリーズ装置の回路図
【図２】シャッターレリーズ装置を接続した第１及び第２のカメラを示す概略図
【符号の説明】
【００２０】
１…第１のカメラ、２…第２のカメラ、３…シャッターレリーズ装置、４…レリーズスイッチ、６…シャッター制御回路、１１…押しボタン、１２…作動子、１３…シャッター半押し接点、１４…シャッター全押し接点、１５…電池、１６…第１半押しフォトカプラー、１７…第１全押しフォトカプラー、１８…第２半押しフォトカプラー、１９…第２全押しフォトカプラー、１６ａ，１７ａ，１８ａ，１９ａ…発光ダイオード、１６ｂ，１７ｂ，１８ｂ，１９ｂ…フォトトランジスタ
【図１】
2005257837.tif 000003
【図２】
2005257837.tif 000004